【手続補正書】
【提出日】平成31年1月25日(2019.1.25)
【手続補正１】
【補正対象書類名】特許請求の範囲
【補正対象項目名】全文
【補正方法】変更
【補正の内容】
【特許請求の範囲】
【請求項１】
複数のサブフレームからなるフレームを生成するフレーム生成部と、
前記生成されたフレームを他の通信装置に送信する送信部と、
１サブフレーム期間と同じ送信時間間隔を単位としたスケジューリングに関する情報及び１サブフレーム期間より短い送信時間間隔である短送信時間間隔を単位としたスケジューリングに関する情報を、サブフレーム内における制御領域を用いて前記他の通信装置に通知する通知部と、
を備える、無線通信装置。
【請求項２】
前記通知部は、他の通信装置ごとに前記短送信時間間隔で送信するデータを復号すべき場所に関する情報を通知する、請求項１に記載の無線通信装置。
【請求項３】
前記通知部は、他の通信装置ごとに前記短送信時間間隔でデータを送信する短送信時間領域の終了位置の情報を通知する、請求項２に記載の無線通信装置。
【請求項４】
前記通知部は、他の通信装置ごとに前記短送信時間間隔でデータを送信する短送信時間領域の開始位置の情報を通知する、請求項３に記載の無線通信装置。
【請求項５】
前記通知部は、前記開始位置の情報を前記制御領域で通知する、請求項４に記載の無線通信装置。
【請求項６】
１つの他の通信装置に割り当てる１サブフレームあたりの前記短送信時間間隔の数を制限する、請求項２〜５のいずれかに記載の無線通信装置。
【請求項７】
前記通知部は、１つの他の通信装置に割り当てる１サブフレームあたりの前記短送信時間間隔の数を通知する、請求項２〜６のいずれかに記載の無線通信装置。
【請求項８】
前記通知部は、１つの他の通信装置に割り当てる１サブフレームあたりの前記短送信時間間隔の数を、同一のサブフレームにおける制御領域で通知する、請求項７に記載の無線通信装置。
【請求項９】
前記通知部は、１つの他の通信装置に割り当てる１サブフレームあたりの前記短送信時間間隔の数を、次のサブフレームにおける制御領域で通知する、請求項７に記載の無線通信装置。
【請求項１０】
前記通知部は、前記スケジューリングに関する情報としてリソースブロック毎に前記送信時間間隔及び前記短送信時間間隔のスケジューリングに関する情報を通知する、請求項１〜９のいずれかに記載の無線通信装置。
【請求項１１】
前記短送信時間間隔でデータを送信する短送信時間領域は、１サブフレームにおいて複数存在する、請求項１〜１０のいずれかに記載の無線通信装置。
【請求項１２】
前記制御領域は、ＰＤＣＣＨである、請求項１〜１１のいずれかに記載の無線通信装置。
【請求項１３】
他の装置で生成された複数のサブフレームからなるフレームを前記他の通信装置から受信する受信部を備え、
前記受信部は、１サブフレーム期間と同じ送信時間間隔を単位としたスケジューリング情報及び１サブフレーム期間より短い送信時間間隔である短送信時間間隔を単位としたスケジューリングに関する情報をサブフレーム内における制御領域で前記他の通信装置から受信するとともに、前記スケジューリングに基づき前記短送信時間間隔で送信されるデータを前記他の通信装置から受信する、無線通信装置。
【請求項１４】
前記短送信時間間隔でデータを送信する短送信時間領域の終了位置の情報を前記受信部が受信するまで前記短送信時間間隔で送信されるデータをデコードする処理部を備える、請求項１３に記載の無線通信装置。
【請求項１５】
前記処理部は、前記短送信時間間隔でデータを送信する短送信時間領域の開始位置の情報を前記受信部が受信してから前記短送信時間間隔で送信されるデータのデコードを開始する、請求項１４に記載の無線通信装置。
【請求項１６】
前記受信部が受信した、前記短送信時間間隔で送信されるデータのデコード結果と、所定の条件とを比較した結果に基づいた応答を前記他の通信装置に送信する処理部を備える、請求項１３または１４に記載の無線通信装置。
【請求項１７】
前記処理部は、前記他の通信装置から指定された数と、デコードが正常に完了した数とが一致した場合に肯定応答を前記他の通信装置に送信する、請求項１６に記載の無線通信装置。
【請求項１８】
前記制御領域は、ＰＤＣＣＨである、請求項１３〜１７のいずれかに記載の無線通信装置。
【請求項１９】
他の装置で生成された複数のサブフレームからなるフレームを前記他の通信装置から受信する受信部と、
前記受信部が受信したサブフレームに含まれる、前記サブフレーム期間より短い送信時間間隔である短送信時間間隔からなるスロットを順次復号する復号部と、
を備える、無線通信装置。
【請求項２０】
前記復号部は、前記短送信時間間隔でデータを送信する短送信時間領域の終了位置の情報を前記受信部が受信するまで前記短送信時間間隔からなるスロットを復号する、請求項１９に記載の無線通信装置。
【請求項２１】
前記復号部は、前記短送信時間間隔でデータを送信する短送信時間領域の開始位置の情報を前記受信部が受信してから前記短送信時間間隔からなるスロットの復号を開始する、請求項２０に記載の無線通信装置。
【請求項２２】
前記受信部が受信した、前記短送信時間間隔で送信されるデータの復号結果と、所定の条件とを比較した結果に基づいた応答を前記他の通信装置に送信する処理部を備える、請求項１９〜２１のいずれかに記載の無線通信装置。
【請求項２３】
前記処理部は、前記他の通信装置から指定された数と、デコードが正常に完了した数とが一致した場合に肯定応答を前記他の通信装置に送信する、請求項２２に記載の無線通信装置。
【請求項２４】
前記処理部は前記他の通信装置から指定された数と、デコードが正常に完了した数とが一致しなかった場合に否定応答を前記他の通信装置に送信する、請求項２２または２３に記載の無線通信装置。
【請求項２５】
複数のサブフレームからなるフレームを生成することと、
前記生成されたフレームを他の通信装置に送信することと、
１サブフレーム期間と同じ送信時間間隔を単位としたスケジューリングに関する情報及び１サブフレーム期間より短い送信時間間隔である短送信時間間隔を単位としたスケジューリングに関する情報を、サブフレーム内における制御領域を用いて前記他の通信装置に通知することと、
を含む、無線通信方法。
【請求項２６】
他の装置で生成された複数のサブフレームからなるフレームを前記他の通信装置から受信することと、
１サブフレーム期間と同じ送信時間間隔を単位としたスケジューリング情報及び１サブフレーム期間より短い送信時間間隔である短送信時間間隔を単位としたスケジューリングに関する情報をサブフレーム内における制御領域で前記他の通信装置から受信することと、
前記スケジューリングに基づき前記短送信時間間隔で送信されるデータを前記他の通信装置から受信することと、
を含む、無線通信方法。
【請求項２７】
コンピュータに、
複数のサブフレームからなるフレームを生成することと、
前記生成されたフレームを他の通信装置に送信することと、
１サブフレーム期間と同じ送信時間間隔を単位としたスケジューリングに関する情報及び１サブフレーム期間より短い送信時間間隔である短送信時間間隔を単位としたスケジューリングに関する情報を、サブフレーム内における制御領域を用いて前記他の通信装置に通知することと、
を実行させる、コンピュータプログラム。
【請求項２８】
コンピュータに、
他の装置で生成された複数のサブフレームからなるフレームを前記他の通信装置から受信することと、
１サブフレーム期間と同じ送信時間間隔を単位としたスケジューリング情報及び１サブフレーム期間より短い送信時間間隔である短送信時間間隔を単位としたスケジューリングに関する情報をサブフレーム内における制御領域で前記他の通信装置から受信することと、
前記スケジューリングに基づき前記短送信時間間隔で送信されるデータを前記他の通信装置から受信することと、
を実行させる、コンピュータプログラム。
【請求項２９】
第１の通信装置及び第２の通信装置を備え、
前記第１の通信装置は、
複数のサブフレームからなるフレームを生成するフレーム生成部と、
前記生成されたフレームを第２の通信装置に送信する送信部と、
１サブフレーム期間と同じ送信時間間隔を単位としたスケジューリングに関する情報及び１サブフレーム期間より短い送信時間間隔である短送信時間間隔を単位としたスケジューリングに関する情報を、サブフレーム内における制御領域を用いて前記第２の通信装置に通知する通知部と、
を備え、
前記第２の通信装置は、
前記第１の通信装置で生成された複数のサブフレームからなるフレームを前記第１の通信装置から受信する受信部を備え、
前記受信部は、１サブフレーム期間と同じ送信時間間隔を単位としたスケジューリング情報及び１サブフレーム期間より短い送信時間間隔である短送信時間間隔を単位としたスケジューリングに関する情報をサブフレーム内における制御領域で前記第１の通信装置から受信するとともに、前記スケジューリングに基づき前記短送信時間間隔で送信されるデータを前記第１の通信装置から受信する、無線通信システム。